(57)【要約】【課題】作業性が良好で、汚水等が隙間からコンクリートへ到達する懸念を払拭することのできるジョイント部材を提供することを目的とする。【解決手段】２枚以上の防食板を接続するジョイント部材であって、このジョイント部材は表用支持板７１と裏用支持板７２を有する。表用支持板７１の裏側面７５ｄの中央に雄型係合部７３が形成され、裏用支持板７２の表側面７６ｃの中央に、上記雄型係合部７３と係脱可能な雌型係合部７４が形成されている。裏用支持板７１に表用支持板７２を取り付けたときに形成される間隙が防食板の配置箇所となる。表用支持板７２が防食板同士の接続箇所を表側から覆う。【選択図】  図３
2005023667.tif 000002
【特許請求の範囲】
【請求項１】
２枚以上の防食板を接続するジョイント部材であって、
表用支持板と裏用支持板を有し、
前記表用支持板の裏側面の中程と前記裏用支持板の表側面の中程に、互いに係脱可能な相対応する係合部を備え、
前記裏用支持板に前記表用支持板を取り付けたときに形成される間隙が前記防食板の配置箇所となり、前記表用支持板が表側から前記防食板同士の接続箇所を覆うものであることを特徴とするジョイント部材。
【請求項２】
前記係合部には、相互に係合する鉤状部がそれぞれ設けられている請求項１に記載のジョイント部材。
【請求項３】
前記表用支持板に雄型係合部が備えられ、前記裏用支持板に雌型係合部が備えられた請求項１または２に記載のジョイント部材。
【請求項４】
前記裏用支持板は、板状部材と、この板状部材の表側面の中程に形成された前記雌型係合部から構成され、
該雌型係合部の外側壁が前記板状部材の表側平面に対してほぼ垂直に立ち上がったものである請求項３に記載のジョイント部材。
【請求項５】
前記表用支持板の側縁部が、その表側面が裏側面に近づくようにして側縁に向かって次第に薄くなったものである請求項１〜４のいずれかに記載のジョイント部材。
【請求項６】
請求項１〜５のいずれかに記載のジョイント部材を用いた施工方法であって、
前記裏用支持板に前記防食板を取り付ける裏用支持板−防食板取付工程と、
この防食板が取り付けられた裏用支持板に対して前記表用支持板を取り付ける表用支持板取付工程とを備えたことを特徴とする施工方法。
【請求項７】
前記裏用支持板の表側面にシーリング剤を塗布した後、前記裏用支持板−防食板取付工程を行い、
前記裏用支持板に取り付けられた前記防食板の表側面にシーリング剤を塗布した後、前記表用支持板取付工程を行う請求項６に記載の施工方法。
【発明の詳細な説明】
【０００１】
【発明の属する技術分野】
本発明は、防食板を接続するジョイント部材、及びこのジョイント部材を用いた施工方法に関するものである。
【０００２】
【従来の技術】
コンクリート製構造物は、その設置環境によっては各種液体やガスに曝されて腐食，劣化が過度に進行することがある。例えばマンホール等の下水管内には様々な腐食性のガスや液体が流れており、特に下水環境では、下水中の有機物から発生した硫化水素が微生物作用により硫酸を生成し、コンクリート壁面の腐食，劣化を促進する。また海岸等の様に塩害に曝される場所においてもコンクリート劣化が生じ易い。
【０００３】
そこで、予め成形された合成樹脂製防食板やＦＲＰ製防食板によってコンクリート表面を覆うことにより、コンクリートを有害物質から保護するという方法が提案されている。上記防食板としては例えば立体編物の片面に合成樹脂層を設けたものが挙げられ（特許文献１参照）、この施工方法は、セメントペーストを賦形して固化させる段階で、上記防食板の立体編物側を向けて密着させ、立体編物中の空隙にコンクリートが入り込んだ状態で固化させるというものである。また既にコンクリートが固化している場合や、既設のコンクリートを補修する目的で防食板を敷設する場合には、まずコンクリート表面にセメントペーストを塗布し、これに防食板を押し付けて立体編物中にセメントペーストを入り込ませて敷設するようにしている。いずれの施工法の場合も、立体編物のアンカー効果によりコンクリート壁面に防食板がしっかりと固定される。
【０００４】
更に上記防食板同士が隣接する目地部分に設けるジョイント部材も提案されている（特許文献２参照）。
【０００５】
図１２は該ジョイント部材６０を示す斜視図で、（ａ）はその表の面から、（ｂ）はその裏の面から表している。また図１３はコンクリート壁面に施工したジョイント部材６０付近を示す拡大断面図であり、ジョイント部材６０の断面としては図１２の（ａ）に示すＡ−Ａ線断面に相当する。
【０００６】
該ジョイント部材６０は、図１２に示す様に表面支持用板部１１の裏面に第１，第２の裏面支持用板部１２，１３がそれぞれ連結部１４，１５を介して接続されたものであり、これらの接続位置は、表面支持用板部１１ではその裏面であってその左右側縁より内側位置であり、第１，第２の裏面支持用板部１２，１３ではその一方端であり、裏面支持用板部１２，１３の張出部２４が表面支持用板部１１の側縁１１Ｒ，１１Ｌよりも張り出している。表面支持用板部１１と第１，第２の裏面支持用板部１２，１３は略平行となっており、これら表面支持用板部１１と第１，第２の裏面支持用板部１２，１３により形成される差込用溝２２，２３に、防食板４０の端部分を嵌め込む様にして、防食板同士を接続する。尚図中、１９はアンカーボルト用の孔部である。
【０００７】
施工方法としては、まずコンクリート用アンカーボルト２９を用いてジョイント部材６０を上記コンクリート壁３０に設置，固定する。このときスペーサ３１を用いてコンクリート壁３０の表面からジョイント部材６０を所望の間隔で離すようにし、空隙（間隙）５０を形成する。次に上記防食板４０をジョイント部材６０の差込用溝２２，２３に差し込んで組み立てる（図１３、図１４［施工過程を説明する為の一部切欠斜視図］参照）。このとき差込用溝２２，２３の内表面に接着性のシーリング剤４１を塗布または充填しておく。所望の範囲に防食板４０を設置した後、ジョイント部材６０及び防食板４０と、コンクリート壁３０表面との間に形成された空隙５０に液状の裏込め材料（例えばセメント系耐硫酸グラウト材）５１を注入し、固化させる。
【０００８】
この様にしてコンクリート壁３０の表面に防食板４０が施工され、防食板同士の目地部分にはジョイント部材６０が設けられているから、目地部分に隙間をつくらず、腐食性液体やガスが内部のコンクリートに侵入することを防止できる。
【０００９】
【特許文献１】
実用新案登録番号２５９４０６５号
【特許文献２】
特開２００２−３８５０７号公報
【００１０】
【発明が解決しようとする課題】
ところで例えばマンホールでの施工の様に防食板４０同士を接合して丸く組み立てる場合においては、上記従来のジョイント部材６０では差込用溝２２，２３に防食板４０を差し込んで組み立てる方式であることから、この差し込み操作を防食板４０を曲げながら行う必要があり、この為に作業し難く、殊に作業空間が狭い場所では一層困難なものとなる。
【００１１】
加えて従来のジョイント部材６０では、その差込用溝２２，２３にシーリング剤４１を充填（或いは塗布）して隙間を完全になくす様にしているが、該操作は深く切れ込んだ差込用溝２２，２３内への充填操作であるので、注意深く丁寧に行わないと充填不十分となって隙間を残す結果となる。
【００１２】
尤もたとえ隙間を残しても、図１３から分かる様に、ジョイント部材６０や防食板４０の表側面に付着した汚水等が裏込め材料５１やコンクリート３０に到達するには、深く切れ込んだ差込用溝２２，２３の壁面を伝ってＵ字状に進む必要があるので、汚水等は殆どコンクリート３０等に到達することはないものの、より完全に汚水等の侵入を防止したものが求められている。
【００１３】
そこで本発明においては、作業性が良好で、また汚水等の有害物質がコンクリートへ到達する懸念を払拭することのできるジョイント部材を提供することを目的とする。またこのジョイント部材を用いた施工方法を提供することを目的とする。
【００１４】
【課題を解決するための手段】
本発明に係るジョイント部材は、２枚以上の防食板を接続するジョイント部材であって、表用支持板と裏用支持板を有し、前記表用支持板の裏側面の中程と前記裏用支持板の表側面の中程に、互いに係脱可能な相対応する係合部を備え、前記裏用支持板に前記表用支持板を取り付けたときに形成される間隙が前記防食板の配置箇所となり、前記表用支持板が表側から前記防食板同士の接続箇所を覆うものであることを特徴とする。
【００１５】
シーリング剤を付与するに当たって、上記従来のジョイント部材６０では深く切れ込んだ差込用溝２２，２３内にシーリング剤を充填するという煩雑な操作を行っていたが、本発明のジョイント部材は表用支持板と裏用支持板に分離することができるから、上記の様な煩雑な操作を行わなくとも、分離した表用支持板及び／または裏用支持板に対して表側から塗布等の作業を行うことができ、作業性が良く、しかも注意深く塗布操作等を行わなくとも塗り残しを生じ難く、隙間を生じる懸念が殆どなくなる。
【００１６】
また防食板をジョイント部材に嵌め込むにあたり、本発明のジョイント部材では先ず分離した表用／裏用支持板の一方（例えば裏用支持板）に防食板を取り付け、次いでこれに表用／裏用支持板の他方（例えば表用支持部材）を取り付ける様にすることができ、横からの防食板の差し込み操作を行わずに表側から操作を行うことができるから、作業性が良い。そしてこの様な表側からの操作であれば、たとえ局面に施工する場合であっても、従来のように防食板を曲げながら差し込む必要はなく、表側から嵌め込んだり、ボルトで取り付けたりする操作で済み、操作が容易である。
【００１７】
本発明のジョイント部材を用いた施工方法としては、前記裏用支持板に前記防食板を取り付ける裏用支持板−防食板取付工程と、この防食板が取り付けられた裏用支持板に対して前記表用支持板を取り付ける表用支持板取付工程とを備えた方法が挙げられる。この施工方法の場合は、先に表用支持板に防食板を取り付け、これらを裏用支持板に取り付けるといった施工方法に比べて、操作が容易である。
【００１８】
加えて施工方法としては、前記裏用支持板の表側面にシーリング剤を塗布した後、前記裏用支持板−防食板取付工程を行い、この裏用支持板に取り付けられた前記防食板の表側面にシーリング剤を塗布した後、前記表用支持板取付工程を行うことが挙げられる。
【００１９】
この様に順次、表側から塗布操作を行えば、深く切れ込んだ差込用溝２２，２３内に向かってシーリング剤を充填や塗布する場合と異なり、簡単で作業性が良い。
【００２０】
上記表用支持板や裏用支持板の係合部としては、相互に係合する鉤状部がそれぞれ設けられていることが好ましく、この鉤状部により表用支持板と裏用支持板はしっかりと係合され、外れ難くなるからである。
【００２１】
更に上記係合部としては、表用支持板に雄型係合部が備えられ、裏用支持板に雌型係合部が備えられたものであることが好ましい。仮に、逆に裏用支持板に雄型係合部が備えられ、表用支持板に雌型係合部が備えられたものであると、裏用支持板に防食板を取り付けるとき、後で表用支持板の雌型係合部が上手く嵌る様に隙間を適切に空ける必要が生じるが、上記の様に裏用支持板に雌型係合部が備えられたものであれば、表用支持板の雄型係合部は裏用支持板の雌型係合部の内側に挿入されるので、隙間を適切に空ける配慮をせずに防食板を取り付けることができ、作業を注意深く行わなくて済む。
【００２２】
加えて上記裏用支持板に雌型係合部が備えられたものにおいて、該裏用支持板が、板状部材と、この板状部材の表側面の中程に形成された上記雌型係合部から構成され、該雌型係合部の外側壁が前記板状部材の表側平面に対してほぼ垂直に立ち上がったものであることが好ましい。
【００２３】
ジョイント部材に取り付ける防食板はその端面が表面及び裏面に対してほぼ垂直になっているのが一般的であり、上記の様に雌型係合部の外側壁が板状部材の表側平面に対してほぼ垂直であれば、防食板の端面を雌型係合部の外側壁にぴったりと付けることができる。
【００２４】
尚本発明に係るジョイント部材において、雌型係合部４４の外側壁が板状部材４５の表側平面に対して鋭角（θ１）となったもの（図１１の（ａ）：雌型係合部４４の外側壁が鋭角となった裏用支持板の一例を示す断面図）や、雌型係合部５４の外側壁が板状部材４５の表側平面に対して鈍角（θ２）となったもの（図１１の（ｂ）：雌型係合部４４の外側壁が鈍角となった裏用支持板、及びこれに取り付ける表用支持板の一例を示す断面図）を排除するものではない。尤も雌型係合部４４の外側壁が板状部材４５の表側平面に対して鋭角（θ１）のものの場合には（図１１（ａ））、この角部分の奥までシーリング剤を充填する必要が生じ、作業性に劣る虞があり、一方雌型係合部５４の外側壁が板状部材４５の表側平面に対して鈍角（θ２）となっており、且つ雌型係合部５４と板状部材４５の連接位置５４ｂの方が雌型係合部５４の頂部５４ａよりも太いものの場合には（図１１（ｂ））、雌型係合部５４が撓み難くなる為に、この雌型係合部５４に雄型係合部５３を無理嵌めの要領で係合させるに際して係合が困難となる。これらの観点からも上記の如く雌型係合部の外側壁をほぼ垂直にするのが好ましい。尚雌型係合部外側壁と板状部材表側平面の角度が鈍角の場合における無理嵌め操作に関しては、上記連接位置５４ｂが太くない場合には、良好に撓ませることができる。
【００２５】
なお「ほぼ垂直」とは、完全に垂直に立ち上がったものの他、多少垂直からズレて立ち上がったものも含む意味であり、上述の如くシーリング剤の塗布や雄型係合部の嵌め込みに支障がない程度であれば良い。
【００２６】
また前記表用支持板としては、その側縁部が、その表側面が裏側面に近づくようにして側縁に向かって次第に薄くなったものであることが好ましい。これにより、ジョイント部材に防食板を装着した状態において、表用支持板の側縁部の表側面と防食板の表側面に急激な段差ができず、ジョイント部材と防食板との表面がなだらかにして連なり、ゴミ等が引っかかり難くなる。従って例えば下水管の様にゴミの多い環境での使用であっても、ゴミが引っかかって溜まるという懸念が少ない。
【００２７】
尚防食板は、マンホールや下水管の他、水処理施設の貯水槽や原水導入管、排煙脱硫塔の内壁、或いは建築物の外壁等、各種コンクリート製構造物の壁面にそのコンクリート壁面の保護の目的で用いられ、ジョイント部材はこの防食板同士の接続に使用される。
【００２８】
【発明の実施の形態】
＜実施形態１＞
図１，２は本発明の実施形態１に係るジョイント部材７０を示す図であり、図１はその表の面側から見た分解斜視図、図２はその裏の面側から見た分解斜視図である。また図３は図１に示すＡ−Ａ線断面図である。
【００２９】
ジョイント部材７０は表用支持板７１と裏用支持板７２からなり、表用支持板７１は、板状部材７５の裏側面７５ｄにその長手方向中央線に沿って雄型係合部７３が形成されたものである。この雄型係合部７３によって表用支持板７１の裏側面７５ｄが左右に分けられた様になっている。雄型係合部７３は先端が山形に傾斜した山形部７３ｂと、この山形部７３ｂから凹んだ鉤状部７３ａを形成し、全体としてその断面が矢印形をしている。表用支持板７１の板状部材７５の両側縁部７５Ｌ，７５Ｒ（長手方向の側縁部）は、板状部材７５の表側面７５ｃが裏側面７５ｄに近づくようにして円弧状に側縁に向かって次第に薄くなっている。
【００３０】
また上記裏用支持板７２はその板状部材７６の表側面７６ｃに、長手方向中央線に沿った雌型係合部７４が形成されたものであり、この雌型係合部７４によって裏用支持板７２の表側面７６ｃが左右に分けられた様になっている。雌型係合部７４の外側壁７４ｃは板状部材７６の表側面（表側平面）７６ｃに対して垂直に立ち上がっている（θ３）。雌型係合部７４には鉤状部７４ａが形成されており、上記雄型係合部７３の鉤状部７３ａと相互に引っかかるようになっている。雌型係合部７４の挿入口７４ｅの部分には傾斜部７４ｂが形成されており、雄型係合部７３の挿入時に挿入し易いようになっている。
【００３１】
裏用支持板７２の板状部材７６にはアンカーボルト用孔部７９及びリベット用孔部８９が複数形成されている。
【００３２】
図４は裏用支持板７２に表用支持板７１を取り付けた様子を表す断面図であり、図に示すように裏用支持板７２の板状部材７６と表用支持板７１の板状部材７５は平行して位置し、これらの間に間隙７７，７８が形成され、この間隙７７，７８に防食板が配置されることとなる。
【００３３】
尚上記ジョイント部材７０は塩化ビニール製であり、加熱することにより容易に曲げ加工することができる。
【００３４】
以下にこのジョイント部材７０を用いて施工する方法について、既設のコンクリート壁に施工する場合を例に挙げて説明する。図５，６はこの施工方法を説明する為の断面図である。尚予めコンクリート壁の劣化表面部分を除去しておく。
【００３５】
防食板４０とジョイント部材７０の組立法としては、まず裏用支持板７２の表側面７６ｃの一方側７６ｃ１及び雌型係合部７４の外側壁７４ｃにシーリング剤４１を塗布し（図５の（ａ））、この上に第１の防食板４０をリベット８８によって固定する（裏用支持板−防食板取付工程）（図５の（ｂ））。
【００３６】
続いて上記第１の防食板４０を取り付けた裏用支持板７２を、施工するコンクリート壁３０に対して所望の空隙５０を空けつつ、コンクリート用アンカーボルト２９により固定する（図５の（ｃ））。
【００３７】
次いで裏用支持板７２の表側面７６ｃの他方側７６ｃ２及び雌型係合部７４の外側壁７４ｃにシーリング剤４１を塗布し、この上に第２の防食板４０を配置して、アンカーボルト２９によりコンクリート壁３０に対して固定する（図５（ｄ））。更に安定化の目的でリベット８８によって第２の防食板４０と裏用支持板７２を固定する。
【００３８】
その後第１，第２の防食板４０の表側面にシーリング剤４１を塗布し（図６の（ａ））、裏用支持板７２に対して表用支持板７１を表側から無理嵌めの要領で押し付けることにより、雌型係合部７４に雄型係合部７３を係合させ取り付ける（表用支持板取付工程）（図６の（ｂ））。
【００３９】
この様にして順次防食板４０とジョイント部材７０を組み立てて行き、コンクリート壁３０の全面に空隙５０を空けた状態で防食板４０及びジョイント部材７０を配置する。その後空隙５０に液状の裏込め材料（充填材料：例えばセメント系耐硫酸グラウト材）５１を注入し、固化させる（図６の（ｃ））。尚裏込め材料としては、上記の他、セメント系グラウト材等の無機材料、エポキシ樹脂系グラウト材等の有機材料、ポリマー系グラウト材等の有機無機複合材が挙げられ、目的に合わせて適宜使用すると良い。また防食板４０としては、前述の特許文献１に示されるものの様に、立体編物４３の片面に合成樹脂層４２を設けたものが好ましい。ジョイント部材７０の裏用支持板７２への取り付けにあたっては、予め防食板４０の端近傍の立体編物４３を切除しておけば、裏用支持板７２にぴったりと取り付けることができる。
【００４０】
以上の様にしてコンクリート壁３０の表面に防食板４０が施工される。この防食板４０同士の繋ぎ目（接続箇所）はジョイント部材７０によって覆われ（表側から見ると表用支持板７１によって繋ぎ目が覆われている）、そして防食板４０とジョイント部材７０の接続部分にはシーリング剤４１が塗布されているから、隙間がなく、防食板４０の表側に接触する汚水等が裏込め材料５１やコンクリート３０に到達する虞が殆どない。しかもこのシーリング剤４１の塗布操作は、いずれの場合も表側から行うことができ、狭い隙間に埋め込む訳でもなく、ベタ塗りするだけで済むから、操作が容易である。加えて防食板４０とジョイント部材７０の組立も、表側からの操作で済むから容易である。
【００４１】
また雌型係合部７４の外側壁７４ｃが垂直に立ち上がっているので（θ３＝９０°）、防食板４０の端面が垂直となっていることから、これら外側壁７４ｃと防食板４０の端面をぴったりと付けることができる。
【００４２】
加えてジョイント部材７０の表用支持板７１の両側縁部７５Ｌ，７５Ｒは円弧状となってその表側面７５ｃが裏側面７５ｄに近づいているから、防食板４０の表面と表用支持板７１の表側面がなだらかに連続し、従って例えば防食板４０の表面上を流れるゴミ等が引っかかり難い。
【００４３】
＜実施形態２，３＞
図７，８はそれぞれ本発明の実施形態２，３に係るジョイント部材を示す断面図である。尚図７，８のそれぞれ（ａ）は表用支持板と裏用支持板を分離して表した図であり、それぞれ（ｂ）はこれらを取り付けた状態を表した図である。
【００４４】
図７に示す様に実施形態２のジョイント部材８０における表用支持板８１の雄型係合部８３は、先端が断面円形となったものであり、裏用支持板８２の雌型係合部８４はこれに対応した断面円形の凹溝となっている。
【００４５】
図８に示す様に実施形態３のジョイント部材９０における裏用支持板９２の雌型係合部９４の鉤状部９４ａはその先端が返しのある形状となっている。表用支持板９１の雄型係合部９３は、所謂矢印形となっている。
【００４６】
この様に本発明のジョイント部材の係合部としては様々な形状のものが用いられる。
【００４７】
＜実施形態４＞
図９は本発明の実施形態４に係るジョイント部材８５を示す断面図であり、（ａ）は表用支持板８６と裏用支持板８７を分離して表した図であり、（ｂ）はこれらを取り付けた状態を表した図である。
【００４８】
実施形態４のジョイント部材８５においては、表用支持板８６に雌型係合部３３が形成され、裏用支持板８７に雄用係合部３４が形成されたものである。この様に実施形態１とは逆にそれぞれの係合部を形成しても良い。
【００４９】
＜実施形態５＞
図１０は本発明の実施形態５に係るジョイント部材９５を示す分解斜視図である。
【００５０】
四角い防食板４０を４つ、それぞれの角部分を突き合わせて配置する場合には、ジョイント部材９５として、図１０に示す様に表用支持板９６や裏用支持板９７にそれぞれ十字形に雄型係合部９８や雌型係合部９９を形成したものを用いても良い。
【００５１】
以上の様に本発明に係るジョイント部材及び施工方法に関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【００５２】
例えばジョイント部材の素材としては上記塩化ビニールに限らず、ポリスチレン，メタクリル樹脂といった非晶性プラスチックやポリスチレン，ポリプロピレン，ポリアセタール，飽和ポリエステル，フッ素樹脂等の結晶性プラスチック、更にはポリフェニレンサルファイド，ポリフェニレンオキサイド，ポリエーテルエーテルケトンといったエンジニアリングプラスチック等の熱可塑性樹脂であっても良く、熱可塑性樹脂であれば加熱により容易に曲げ加工を行うことができる。尚ジョイント部材の素材としては熱硬化性樹脂であっても良い。
【００５３】
また上記実施形態ではジョイント部材の裏用支持板の裏側面をフラットな面としたが、これに限らず、凹凸を設けてアンカー効果を発揮させる様にしたものであっても良い。
【００５４】
加えて上記実施形態では雌型係合部の外側壁が板状部材の表側平面に対して垂直（９０°）のものを示したが、これに限るものではなく、雌型係合部の外側壁が鋭角や鈍角であっても良く、例えば防食板の端面が表裏面に対して斜めに切断された如くの形状である場合には、この切断形状に適合する様に雌型係合部の外側壁の立ち上がり角度を設定すれば、該防食板の端面と雌型係合部の外側壁をぴったりと接合することができる。更に外側壁がフラットでなくても良く、防食板の端面と互いに適合する様に溝部や凸部を有する形状としても良い。
【００５５】
【発明の効果】
本発明に係るジョイント部材，施工方法によれば、シーリング剤の塗布等の操作を表側から簡単に行うことができ、またジョイント部材への防食板の取り付け操作も簡単であり、作業性が良い。しかも上記の様な簡単なシーリング剤塗布操作であるにもかかわらず、隙間を形成し難く、汚水等の有害物質が内部のコンクリートへ到達する懸念が殆どない。
【図面の簡単な説明】
【図１】本発明の実施形態１に係るジョイント部材を表の面側から見た分解斜視図。
【図２】本発明の実施形態１に係るジョイント部材を裏の面側から見た分解斜視図。
【図３】図１に示すＡ−Ａ線断面図。
【図４】本発明の実施形態１に係るジョイント部材を示す断面図（裏用支持板に表用支持板を取り付けた様子を表す）。
【図５】実施形態１のジョイント部材を用いた施工方法を説明する為の断面図（その１）。
【図６】実施形態１のジョイント部材を用いた施工方法を説明する為の断面図（その２）。
【図７】本発明の実施形態２に係るジョイント部材を示す断面図。
【図８】本発明の実施形態３に係るジョイント部材を示す断面図。
【図９】本発明の実施形態４に係るジョイント部材を示す断面図。
【図１０】本発明の実施形態５に係るジョイント部材を示す分解斜視図。
【図１１】雌型係合部の外側壁が鋭角或いは鈍角の場合の例を示す断面図。
【図１２】従来のジョイント部材を示す斜視図。
【図１３】コンクリート壁面に施工した従来のジョイント部材付近を示す拡大断面図。
【図１４】従来のジョイント部材を用いた施工過程を説明する為の一部切欠斜視図。
【符号の説明】
３３，７４，８４，９４，９９  雌型係合部
３４，７３，８３，９３，９８  雄型係合部
７０，８０，８５，９０，９５  ジョイント部材
７１，８１，８６，９１，９６  表用支持板
７２，８２，８７，９２，９７  裏用支持板
７３ａ，７４ａ  鉤状部
７４ｃ  外側壁
７５  板状部材
７５ｃ  表側面
７５ｄ  裏側面
７５Ｌ，７５Ｒ  側縁部
７６  板状部材
７６ｃ  表側面
７７，７８  間隙
７９  アンカーボルト用孔部
８９  リベット用孔部
【図１】
2005023667.tif 000003
【図２】
2005023667.tif 000004
【図３】
2005023667.tif 000005
【図４】
2005023667.tif 000006
【図５】
2005023667.tif 000007
【図６】
2005023667.tif 000008
【図７】
2005023667.tif 000009
【図８】
2005023667.tif 000010
【図９】
2005023667.tif 000011
【図１０】
2005023667.tif 000012
【図１１】
2005023667.tif 000013
【図１２】
2005023667.tif 000014
【図１３】
2005023667.tif 000015
【図１４】
2005023667.tif 000016